【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
デバイスが、１つまたは複数の特定のクラスのパケットの送信のための共通媒体アクセス手順を実施するための方法であって、
前記１つまたは複数の特定のクラスの各々のためのバックオフ手順を実施することと、ここにおいて、前記１つまたは複数の特定のクラスのうちのあるクラスでの送信は、前記クラス中の他の送信と一斉に送信可能である、
少なくとも１つの他のデバイスから、そのクラス用の前記バックオフ手順が前記少なくとも１つの他のデバイスにおいて完了されたという指示を受信することと、
クラス用の前記バックオフ手順が完了されると、１つまたは複数の他のデバイスによって送信される、前記クラス中の他の送信と一斉に送信され得る１つまたは複数の送信を実施することと、
前記１つまたは複数の送信に基づいて、前記クラス用の前記バックオフ手順を更新することとを備える方法。
【請求項２】
前記１つまたは複数の送信に基づいて、前記１つまたは複数の特定のクラスの各々のための前記バックオフ手順を更新することをさらに備えるか、または、
前記１つまたは複数の特定のクラスの各々のためのバックオフ手順を実施することは、前記デバイスにおけるカウンタを始動させることと、前記デバイスにおけるクリアチャネル評価指示に依存して、前記デバイスにおける前記カウンタを減分することとを備える、請求項１に記載の方法。
【請求項３】
前記クラス中の他の送信と一斉に送信され得る１つまたは複数の送信を実施することは、前記デバイスにおけるカウンタがゼロに達すると、前記クラスを識別する前記パケットから前記クラスの第１のパケットを送信することを備え、
前記クラスを識別することは、前記送信された第１のパケット中に、前記クラスを記述する指示を含めることを備えるか、または、
前記クラスの前記第１のパケットを送信することは、送付可または前記クラスを示すデータパケットを送信することを備える、請求項１に記載の方法。
【請求項４】
前記１つまたは複数の特定のクラスの各々についての前記バックオフ手順は、中央コントローラにクリアチャネル評価状態を送ることを備え、前記中央コントローラは、前記デバイスの１つまたは複数からの前記報告されたクリアチャネル評価状態に基づいて共通バックオフ手順を実施するか、または、
前記１つまたは複数の送信に基づいて、前記クラス用の前記バックオフ手順を更新することは、１つまたは複数の公平性条件に基づいて前記クラス用の前記バックオフ手順を更新することを備える、請求項１に記載の方法。
【請求項５】
１つまたは複数の特定のクラスのパケットの送信のための共通媒体アクセス手順を実施するためのデバイスであって、
前記１つまたは複数の特定のクラスの各々のためのバックオフ手順を実施するための手段と、ここにおいて、前記１つまたは複数の特定のクラスのうちのあるクラスでの送信は、前記クラス中の他の送信と一斉に送信可能である、
少なくとも１つの他のデバイスから、そのクラス用の前記バックオフ手順が少なくとも１つの他のものにおいて完了されたという指示を受信するための手段と、前記１つまたは複数の特定のクラスのうちの少なくとも１つのための前記バックオフ手順が完了したという指示をデバイス受信する、
クラス用の前記バックオフ手順が完了されると、１つまたは複数の他のデバイスによって送信される、前記クラス中の他の送信と一斉に送信され得る、１つまたは複数の送信を実施するための手段と、
前記１つまたは複数の送信に基づいて、前記クラス用の前記バックオフ手順を更新するための手段とを備えるデバイス。
【請求項６】
前記プロセッサは、前記１つまたは複数の送信に基づいて、前記１つまたは複数の特定のクラスの各々のための前記バックオフ手順を更新するようにさらに構成されるか、または、
前記１つまたは複数の特定のクラスの各々のためのバックオフ手順を実施することは、前記デバイスにおけるカウンタを始動させることと、前記デバイスにおけるクリアチャネル評価指示に依存して、前記デバイスにおける前記カウンタを減分することとを備える、請求項５に記載のデバイス。
【請求項７】
前記クラス中の他の送信と一斉に送信され得る１つまたは複数の送信を実施することは、前記デバイスにおけるカウンタがゼロに達すると、前記クラスを識別する前記パケットから前記クラスの第１のパケットを送信することを備え、
前記クラスを識別することは、前記送信された第１のパケット中に、前記クラスを記述する指示を含めることを備えるか、または、
前記クラスの前記第１のパケットを送信することは、送付可または前記クラスを示すデータパケットを送信することを備える、請求項５に記載のデバイス。
【請求項８】
前記１つまたは複数の特定のクラスの各々のための前記バックオフ手順は、複数のデバイスに共通である共通バックオフ手順を備えるか、または、
前記１つまたは複数の送信に基づいて、前記クラス用の前記バックオフ手順を更新することは、１つまたは複数の公平性条件に基づいて前記クラス用の前記バックオフ手順を更新することを備える、請求項５に記載のデバイス。
【請求項９】
請求項１〜４のいずれか一項に記載の方法を実装するように構成されたコンピュータ実行可能命令を備えるコンピュータプログラム。
【請求項１０】
複数のデバイスによる、１つまたは複数の特定のクラスのパケットの送信のための共通媒体アクセス手順をデバイスが実施するための方法であって、
前記１つまたは複数の特定のクラスのうちのあるクラス用のカウンタを始動させることと、ここにおいて、前記１つまたは複数の特定のクラスのうちのあるクラスでの送信は、前記クラス中の他の送信と一斉に送信され得る、
前記複数のデバイスのうちの２つ以上におけるクリアチャネル評価に基づいて前記カウンタを減分することと、
前記クラス用のバックオフ手順が完了されると、前記複数のデバイスのうちの２つ以上へ、それらのデバイスに、１つまたは複数の他のデバイスによって送信される、前記クラス中の他の送信と一斉に送信され得る１つまたは複数の送信を実施するよう命令する命令を送ることと、
前記１つまたは複数の送信に基づいて、前記クラス用の前記バックオフ手順を更新することとを備える方法。
【請求項１１】
前記カウンタを減分することは、ワイヤレス媒体が、前記複数のデバイスのうちの２つ以上において少なくともあるスロット時間だけ、前記クリアチャネル評価によってアイドルであると示される場合、前記カウンタを減分することを備えるか、または、
前記複数のデバイスのうちの２つ以上におけるクリアチャネル評価に基づいて前記カウンタを減分することは、選ばれた個数の前記複数のデバイスにおけるクリアチャネル評価に基づいて前記カウンタを減分することを備え、ここにおいて、前記選ばれた個数は２よりも大きいか、または、
前記複数のデバイスのうちの２つ以上に命令を送ることは、バックホール接続を使って、前記複数のデバイスのうちの２つ以上に命令を送ることを備えるか、または、
前記１つまたは複数の送信に基づいて、前記１つまたは複数の特定のクラスの各々のための前記バックオフ手順を更新することをさらに備える、請求項１０に記載の方法。
【請求項１２】
複数のデバイスによる、１つまたは複数の特定のクラスのパケットの送信のための共通媒体アクセス手順を実施するためデバイスであって、
前記１つまたは複数の特定のクラスのうちのあるクラス用のカウンタを始動させるための手段と、ここにおいて、前記１つまたは複数の特定のクラスのうちのあるクラスでの送信は、前記クラス中の他の送信と一斉に送信され得る、
前記複数のデバイスのうちの２つ以上におけるクリアチャネル評価に基づいて前記カウンタを減分するための手段と、
前記クラス用のバックオフ手順が完了されると、前記複数のデバイスのうちの２つ以上へ、それらのデバイスに、１つまたは複数の他のデバイスによって送信される、前記クラス中の他の送信と一斉に送信され得る１つまたは複数の送信を実施するよう命令する命令を送るための手段と、
前記１つまたは複数の送信に基づいて、前記クラス用の前記バックオフ手順を更新するための手段とを備えるデバイス。
【請求項１３】
前記カウンタを減分することは、ワイヤレス媒体が、前記複数のデバイスのうちの２つ以上において少なくともあるスロット時間だけ、前記クリアチャネル評価によってアイドルであると示される場合、前記カウンタを減分することを備えるか、または、
前記複数のデバイスのうちの２つ以上におけるクリアチャネル評価に基づいて前記カウンタを減分することは、選ばれた個数の前記複数のデバイスにおけるクリアチャネル評価に基づいて前記カウンタを減分することを備え、ここにおいて、前記選ばれた個数は２よりも大きいか、または、
前記複数のデバイスのうちの２つ以上に命令を送ることは、バックホール接続を使って、前記複数のデバイスのうちの２つ以上に命令を送ることを備えるか、または、
前記プロセッサは、前記１つまたは複数の送信に基づいて、前記１つまたは複数の特定のクラスの各々のための前記バックオフ手順を更新するようにさらに構成される、請求項１２に記載のデバイス。
【請求項１４】
請求項１０〜１１のいずれか一項に記載の方法を実装するように構成されたコンピュータ実行可能命令を備えるコンピュータプログラム。
【請求項１５】
前記手段はプロセッサである、先行する請求項のいずれか一項に記載のデバイス。
【手続補正２】
【補正対象書類名】明細書
【補正対象項目名】０１２０
【補正方法】変更
【補正の内容】
【０１２０】
[0127]上記は本開示の態様を対象とするが、本開示の他の態様は、それらの基本的な範囲から逸脱することなく考案することができ、それらの範囲は、以下の特許請求の範囲によって決定される。
以下に、本願の出願当初の特許請求の範囲に記載された発明を付記する。
［Ｃ１］
デバイスが、１つまたは複数の特定のクラスのパケットの送信のための共通媒体アクセス手順を実施するための方法であって、
前記１つまたは複数の特定のクラスの各々のためのバックオフ手順を実施することと、ここにおいて、前記１つまたは複数の特定のクラスのうちのあるクラスでの送信は、前記クラス中の他の送信と一斉に送信可能である、
少なくとも１つの他のデバイスから、そのクラス用の前記バックオフ手順が前記少なくとも１つの他のデバイスにおいて完了されたという指示を受信することと、
クラス用の前記バックオフ手順が完了されると、１つまたは複数の他のデバイスによって送信される、前記クラス中の他の送信と一斉に送信され得る１つまたは複数の送信を実施することと、
前記１つまたは複数の送信に基づいて、前記クラス用の前記バックオフ手順を更新することとを備える方法。
［Ｃ２］
前記１つまたは複数の送信に基づいて、前記１つまたは複数の特定のクラスの各々のための前記バックオフ手順を更新することをさらに備える、Ｃ１に記載の方法。
［Ｃ３］
前記１つまたは複数の特定のクラスの各々のためのバックオフ手順を実施することは、前記デバイスにおけるカウンタを始動させることと、前記デバイスにおけるクリアチャネル評価指示に依存して、前記デバイスにおける前記カウンタを減分することとを備える、Ｃ１に記載の方法。
［Ｃ４］
前記クラス中の他の送信と一斉に送信され得る１つまたは複数の送信を実施することは、前記デバイスにおける前記カウンタがゼロに達すると、前記クラスを識別する前記パケットから前記クラスの第１のパケットを送信することを備える、Ｃ１に記載の方法。
［Ｃ５］
前記クラスを識別することは、前記送信された第１のパケット中に、前記クラスを記述する指示を含めることを備える、Ｃ４に記載の方法。
［Ｃ６］
前記クラスの前記第１のパケットを送信することは、送付可または前記クラスを示すデータパケットを送信することを備える、Ｃ４に記載の方法。
［Ｃ７］
前記１つまたは複数の特定のクラスの各々についての前記バックオフ手順は、中央コントローラにクリアチャネル評価状態を送ることを備え、前記中央コントローラは、前記デバイスの１つまたは複数からの前記報告されたクリアチャネル評価状態に基づいて共通バックオフ手順を実施する、Ｃ１に記載の方法。
［Ｃ８］
前記１つまたは複数の送信に基づいて、前記クラス用の前記バックオフ手順を更新することは、１つまたは複数の公平性条件に基づいて前記クラス用の前記バックオフ手順を更新することを備える、Ｃ１に記載の方法。
［Ｃ９］
１つまたは複数の特定のクラスのパケットの送信のための共通媒体アクセス手順を実施するためのデバイスであって、
前記１つまたは複数の特定のクラスの各々のためのバックオフ手順を実施し、ここにおいて、前記１つまたは複数の特定のクラスのうちのあるクラスでの送信は、前記クラス中の他の送信と一斉に送信可能である、
少なくとも１つの他のデバイスから、そのクラス用の前記バックオフ手順が前記少なくとも１つの他のデバイスにおいて完了されたという指示を受信すること、
クラス用の前記バックオフ手順が完了されると、１つまたは複数の他のデバイスによって送信される、前記クラス中の他の送信と一斉に送信され得る、１つまたは複数の送信を実施し、
前記１つまたは複数の送信に基づいて、前記クラス用の前記バックオフ手順を更新するように構成されたプロセッサを備えるデバイス。
［Ｃ１０］
前記プロセッサは、前記１つまたは複数の送信に基づいて、前記１つまたは複数の特定のクラスの各々のための前記バックオフ手順を更新するようにさらに構成される、Ｃ９に記載のデバイス。
［Ｃ１１］
前記１つまたは複数の特定のクラスの各々のためのバックオフ手順を実施することは、前記デバイスにおけるカウンタを始動させることと、前記デバイスにおけるクリアチャネル評価指示に依存して、前記デバイスにおける前記カウンタを減分することとを備える、Ｃ９に記載のデバイス。
［Ｃ１２］
前記クラス中の他の送信と一斉に送信され得る１つまたは複数の送信を実施することは、前記デバイスにおける前記カウンタがゼロに達すると、前記クラスを識別する前記パケットから前記クラスの第１のパケットを送信することを備える、Ｃ９に記載のデバイス。
［Ｃ１３］
前記クラスを識別することは、前記送信された第１のパケット中に、前記クラスを記述する指示を含めることを備える、Ｃ１２に記載のデバイス。
［Ｃ１４］
前記クラスの前記第１のパケットを送信することは、送付可または前記クラスを示すデータパケットを送信することを備える、Ｃ１２に記載のデバイス。
［Ｃ１５］
前記１つまたは複数の特定のクラスの各々のための前記バックオフ手順は、複数のデバイスに共通である共通バックオフ手順を備える、Ｃ９に記載のデバイス。
［Ｃ１６］
前記１つまたは複数の送信に基づいて、前記クラス用の前記バックオフ手順を更新することは、１つまたは複数の公平性条件に基づいて前記クラス用の前記バックオフ手順を更新することを備える、Ｃ９に記載のデバイス。
［Ｃ１７］
１つまたは複数の特定のクラスのパケットの送信のための共通媒体アクセス手順を実施するためのデバイスであって、
前記１つまたは複数の特定のクラスの各々のためのバックオフ手順を実施するための手段と、ここにおいて、前記１つまたは複数の特定のクラスのうちのあるクラスでの送信は、前記クラス中の他の送信と一斉に送信可能である、
少なくとも１つの他のデバイスから、そのクラス用の前記バックオフ手順が少なくとも１つの他のものにおいて完了されたという指示を受信するための手段と、前記１つまたは複数の特定のクラスのうちの少なくとも１つのための前記バックオフ手順が完了したという指示をデバイス受信する、
クラス用の前記バックオフ手順が完了されると、１つまたは複数の他のデバイスによって送信される、前記クラス中の他の送信と一斉に送信され得る、１つまたは複数の送信を実施するための手段と、
前記１つまたは複数の送信に基づいて、前記クラス用の前記バックオフ手順を更新するための手段とを備えるデバイス。
［Ｃ１８］
１つまたは複数の特定のクラスのパケットの送信のための共通媒体アクセス手順を実施するための方法を実装するように構成されたコンピュータ実行可能命令を備える非一時的物理的コンピュータストレージであって、前記方法は、
前記１つまたは複数の特定のクラスの各々のためのバックオフ手順を実施することと、ここにおいて、前記１つまたは複数の特定のクラスのうちのあるクラスでの送信は、前記クラス中の他の送信と一斉に送信可能である、
少なくとも１つの他のデバイスから、そのクラス用の前記バックオフ手順が少なくとも１つの他のものにおいて完了されたという指示を受信することと、前記１つまたは複数の特定のクラスのうちの少なくとも１つのための前記バックオフ手順が完了したという指示をデバイス受信する、
クラス用の前記バックオフ手順が完了されると、１つまたは複数の他のデバイスによって送信される、前記クラス中の他の送信と一斉に送信され得る、１つまたは複数の送信を実施することと、
前記１つまたは複数の送信に基づいて、前記クラス用の前記バックオフ手順を更新することとを備える、非一時的物理的コンピュータストレージ。
［Ｃ１９］
複数のデバイスによる、１つまたは複数の特定のクラスのパケットの送信のための共通媒体アクセス手順をデバイスが実施するための方法であって、
前記１つまたは複数の特定のクラスのうちのあるクラス用のカウンタを始動させることと、ここにおいて、前記１つまたは複数の特定のクラスのうちのあるクラスでの送信は、前記クラス中の他の送信と一斉に送信され得る、
前記複数のデバイスのうちの２つ以上におけるクリアチャネル評価に基づいて前記カウンタを減分することと、
前記クラス用の前記バックオフ手順が完了されると、前記複数のデバイスのうちの２つ以上へ、それらのデバイスに、１つまたは複数の他のデバイスによって送信される、前記クラス中の他の送信と一斉に送信され得る１つまたは複数の送信を実施するよう命令する命令を送ることと、
前記１つまたは複数の送信に基づいて、前記クラス用の前記バックオフ手順を更新することとを備える方法。
［Ｃ２０］
前記カウンタを減分することは、ワイヤレス媒体が、前記複数のデバイスのうちの２つ以上において少なくともあるスロット時間だけ、前記クリアチャネル評価によってアイドルであると示される場合、前記カウンタを減分することを備える、Ｃ１９に記載の方法。
［Ｃ２１］
前記複数のデバイスのうちの２つ以上におけるクリアチャネル評価に基づいて前記カウンタを減分することは、選ばれた個数の前記複数のデバイスにおけるクリアチャネル評価に基づいて前記カウンタを減分することを備え、ここにおいて、前記選ばれた個数は２よりも大きい、Ｃ１９に記載の方法。
［Ｃ２２］
前記複数のデバイスのうちの２つ以上に命令を送ることは、バックホール接続を使って、前記複数のデバイスのうちの２つ以上に命令を送ることを備える、Ｃ１９に記載の方法。
［Ｃ２３］
前記１つまたは複数の送信に基づいて、前記１つまたは複数の特定のクラスの各々のための前記バックオフ手順を更新することをさらに備える、Ｃ１９に記載の方法。
［Ｃ２４］
複数のデバイスによる、１つまたは複数の特定のクラスのパケットの送信のための共通媒体アクセス手順を実施するためのデバイスであって、
前記１つまたは複数の特定のクラスのうちのあるクラス用のカウンタを始動させ、ここにおいて、前記１つまたは複数の特定のクラスのうちのあるクラスでの送信は、前記クラス中の他の送信と一斉に送信可能である、
前記複数のデバイスのうちの２つ以上におけるクリアチャネル評価に基づいて前記カウンタを減分し、
前記クラス用の前記バックオフ手順が完了されると、前記複数のデバイスのうちの２つ以上へ、それらのデバイスに、１つまたは複数の他のデバイスによって送信される、前記クラス中の他の送信と一斉に送信され得る１つまたは複数の送信を実施するよう命令する命令を送り、
前記１つまたは複数の送信に基づいて、前記クラス用の前記バックオフ手順を更新するように構成されたプロセッサを備えるデバイス。
［Ｃ２５］
前記カウンタを減分することは、ワイヤレス媒体が、前記複数のデバイスのうちの２つ以上において少なくともあるスロット時間だけ、前記クリアチャネル評価によってアイドルであると示される場合、前記カウンタを減分することを備える、Ｃ２４に記載のデバイス。
［Ｃ２６］
前記複数のデバイスのうちの２つ以上におけるクリアチャネル評価に基づいて前記カウンタを減分することは、選ばれた個数の前記複数のデバイスにおけるクリアチャネル評価に基づいて前記カウンタを減分することを備え、ここにおいて、前記選ばれた個数は２よりも大きい、Ｃ２４に記載のデバイス。
［Ｃ２７］
前記複数のデバイスのうちの２つ以上に命令を送ることは、バックホール接続を使って、前記複数のデバイスのうちの２つ以上に命令を送ることを備える、Ｃ２４に記載のデバイス。
［Ｃ２８］
前記プロセッサは、前記１つまたは複数の送信に基づいて、前記１つまたは複数の特定のクラスの各々のための前記バックオフ手順を更新するようにさらに構成される、Ｃ２４に記載のデバイス。
［Ｃ２９］
複数のデバイスによる、１つまたは複数の特定のクラスのパケットの送信のための共通媒体アクセス手順をデバイスが実施するための方法のためのデバイスであって、
前記１つまたは複数の特定のクラスのうちのあるクラス用のカウンタを始動させるための手段と、ここにおいて、前記１つまたは複数の特定のクラスのうちのあるクラスでの送信は、前記クラス中の他の送信と一斉に送信され得る、
前記複数のデバイスのうちの２つ以上におけるクリアチャネル評価に基づいて前記カウンタを減分するための手段と、
前記クラス用の前記バックオフ手順が完了されると、前記複数のデバイスのうちの２つ以上へ、それらのデバイスに、１つまたは複数の他のデバイスによって送信される、前記クラス中の他の送信と一斉に送信され得る１つまたは複数の送信を実施するよう命令する命令を送るための手段と、
前記１つまたは複数の送信に基づいて、前記クラス用の前記バックオフ手順を更新するための手段とを備えるデバイス。
［Ｃ３０］
複数のデバイスによる、１つまたは複数の特定のクラスのパケットの送信のための共通媒体アクセス手順をデバイスが実施するための方法を実装するように構成されたコンピュータ実行可能命令を備える非一時的物理的コンピュータストレージであって、前記方法は、
前記１つまたは複数の特定のクラスのうちのあるクラス用のカウンタを始動させることと、ここにおいて、前記１つまたは複数の特定のクラスのうちのあるクラスでの送信は、前記クラス中の他の送信と一斉に送信され得る、
前記複数のデバイスのうちの２つ以上におけるクリアチャネル評価に基づいて前記カウンタを減分することと、
前記クラス用の前記バックオフ手順が完了されると、前記複数のデバイスのうちの２つ以上へ、それらのデバイスに、１つまたは複数の他のデバイスによって送信される、前記クラス中の他の送信と一斉に送信され得る１つまたは複数の送信を実施するよう命令する命令を送ることと、
前記１つまたは複数の送信に基づいて、前記クラス用の前記バックオフ手順を更新することとを備える、非一時的物理的コンピュータストレージ。